(57)【要約】【課題】低い調光レベルに調光可能であって、応答性を向上させて器具間の同期性を確保することができる点灯装置２および照明器具１を提供する。【解決手段】点灯装置２は、直流の入力電圧をＬＥＤ負荷に印加して負荷電流をＬＥＤ負荷に供給する複数の点灯回路部を備える。点灯装置２は、指示された調光レベル（調光指示値）に基づいて複数の点灯回路部の動作を制御し、負荷電流の振幅を増減させる制御回路部４をさらに備える。制御回路部４は、調光下限値ＯＬから調光上限値ＯＵの間に複数の調光範囲を設定し、複数の調光範囲にそれぞれ少なくとも１つの点灯回路部を対応付けする。照明器具１は、点灯装置２と、複数のＬＥＤ負荷とを備える。ＬＥＤ負荷のそれぞれは、点灯回路部と一対一に接続される。【選択図】図１
2017033626.tif 000002
【特許請求の範囲】
【請求項１】
直流の入力電圧を降圧した電圧をＬＥＤ負荷に印加して負荷電流をＬＥＤ負荷に供給する複数の点灯回路部と、指示された調光レベルに基づいて前記複数の点灯回路部の動作を制御し、負荷電流の振幅を増減させる制御回路部とを備え、
前記制御回路部は、調光下限値から調光上限値の間に複数の調光範囲を設定し、前記複数の調光範囲にそれぞれ少なくとも１つの前記点灯回路部を対応付けし、指示された調光レベルが属する調光範囲に対応付けされている前記点灯回路部を制御して、前記ＬＥＤ負荷に前記負荷電流を供給する
ことを特徴とする点灯装置。
【請求項２】
前記複数の点灯回路部は、第１点灯回路部と、第２点灯回路部とで構成され、
前記第１点灯回路部は、第１負荷電流を第１ＬＥＤ負荷に供給し、
前記第２点灯回路部は、第２負荷電流を第２ＬＥＤ負荷に供給し、
前記制御回路部は、前記調光下限値より高く、前記調光上限値より低い第１調光閾値と、前記調光上限値より低く、前記第１調光閾値以上にある第２調光閾値とを設定し、
前記調光上限値以下であって前記第１調光閾値以上の前記調光範囲を第１調光範囲とし、
前記調光下限値以上であって前記第２調光閾値以下の前記調光範囲を第２調光範囲とし、
前記制御回路部は、指示された調光レベルが前記第１調光範囲であれば、前記第１点灯回路部を制御して、前記調光レベルに応じた前記第１負荷電流を前記第１ＬＥＤ負荷に供給し、指示された調光レベルが、前記第２調光範囲であれば、前記第２点灯回路部を制御して、前記調光レベルに応じた前記第２負荷電流を前記第２ＬＥＤ負荷に供給する
ことを特徴とする請求項１に記載の点灯装置。
【請求項３】
前記第１点灯回路部は、前記制御回路部によってオンオフ制御されて前記第１ＬＥＤ負荷に直列接続する第１スイッチング素子と、前記第１スイッチング素子がオン状態のときに前記第１負荷電流が流れる第１検出抵抗とを有する降圧チョッパ回路で形成され、
前記制御回路部は、前記第１スイッチング素子をオンした後、前記第１検出抵抗の両端電圧が第１上限値に達すると、前記第１スイッチング素子をオフし、
前記第２点灯回路部は、前記制御回路部によってオンオフ制御されて前記第２ＬＥＤ負荷に直列接続される第２スイッチング素子と、前記第２スイッチング素子がオン状態のときに前記第２負荷電流が流れる第２検出抵抗とを有する降圧チョッパ回路で形成され、
前記制御回路部は、前記第２スイッチング素子をオンした後、前記第２検出抵抗の両端電圧が第２上限値に達すると、前記第２スイッチング素子をオフし、
前記第２検出抵抗の抵抗値は、前記第１検出抵抗の抵抗値よりも大きい
ことを特徴とする請求項２に記載の点灯装置。
【請求項４】
前記第１調光閾値は、前記第２調光閾値よりも大きな値であって、
前記制御回路部は、前記第１調光閾値よりも高く前記第２調光閾値よりも低い範囲を重点灯区間として設定し、指示された調光レベルが前記重点灯区間に属している場合、前記第１点灯回路部および前記第２点灯回路部の両方を制御して、前記第１負荷電流を前記第１ＬＥＤ負荷に供給し、かつ前記第２負荷電流を前記第２ＬＥＤ負荷に供給する
ことを特徴とする請求項２または３に記載の点灯装置。
【請求項５】
請求項１〜４の何れかに記載の点灯装置と、複数のＬＥＤ負荷とを備え、
前記ＬＥＤ負荷のそれぞれは、１乃至複数の発光ダイオードからなり、前記点灯回路部と一対一に電気的に接続される
ことを特徴とする照明器具。
【請求項６】
前記複数のＬＥＤ負荷は、同一の回路基板上に設けられる
ことを特徴とする請求項５に記載の照明器具。
【発明の詳細な説明】
【技術分野】
【０００１】
本発明は、点灯装置および照明器具に関し、特に、ＬＥＤ（Ｌｉｇｈｔ  Ｅｍｉｔｔｉｎｇ  Ｄｉｏｄｅ、発光ダイオード）を点灯させる点灯装置および当該点灯装置を備える照明器具に関する。
【背景技術】
【０００２】
従来例として、特許文献１に記載のＬＥＤ点灯回路を例示する。特許文献１に記載のＬＥＤ点灯回路は、交流電源を入力電源とし、ダイオードブリッジと、２つの降圧チョッパ回路と、調光制御部とで構成されている。ダイオードブリッジは、交流電源から入力される交流電圧を整流し、出力端間に設けられた電解コンデンサからなるコンデンサの両端に整流電圧を生成する。２つの降圧チョッパ回路は、互いに並列接続しており、コンデンサの両端に接続され、整流電圧が印加される。降圧チョッパ回路は、整流電圧を降圧して直流電圧を生成する。そして、各々の降圧チョッパ回路に接続された発光ダイオードからなるＬＥＤ光源部に直流電圧を印加することで、ＬＥＤ光源部にＬＥＤ電流が流れてＬＥＤ光源部が点灯する。
【０００３】
調光制御部は、マイコン等で構成されており、調光信号出力部から出力される調光信号が示す調光度に基づいて、降圧チョッパ回路に設けられる発振制御部に発信制御信号を出力する。発振制御信号は、ＰＷＭ信号で構成されている。発振制御部は、発振制御信号に基づいて降圧チョッパ回路に設けられるスイッチング素子を発振制御する。
【先行技術文献】
【特許文献】
【０００４】
【特許文献１】特開２０１１−１９２３９９号公報
【発明の概要】
【発明が解決しようとする課題】
【０００５】
ところで、従来のようなＬＥＤ点灯回路では、低い調光レベルでＬＥＤ光源部を点灯する場合、バースト調光によってＬＥＤ光源部が点灯するように構成されている。なお、バースト調光は、ＬＥＤ光源部に供給する負荷電流を間欠的に遮断し、ＬＥＤに負荷電流を供給するオンデューティを調整することでＬＥＤの明るさを制御する。バースト調光を使用してＬＥＤ光源部を点灯させる場合、従来のようなＬＥＤ点灯回路では、低い調光レベル、つまりオフ時間を長くしてＬＥＤ光源部を点灯すると、ちらつきおよびビデオフリッカが発生してしまう。従来のようなＬＥＤ点灯回路では、ＬＥＤ光源部に印加される電圧を平滑するための大容量の電解コンデンサが用いられることで、ＬＥＤ光源部に流れる電流が連続して流れ、ちらつきおよびビデオフリッカを抑制することができる。しかしながら、従来のようなＬＥＤ点灯回路では、大容量の電解コンデンサが用いられることで、応答性および器具間の同期性を確保することが難しくなる。
【０００６】
本発明は、上記事由に鑑みてなされており、低い調光レベルに調光可能であって、応答性を向上させて器具間の同期性を確保することができる点灯装置および照明器具を提供することを目的とする。
【課題を解決するための手段】
【０００７】
本発明の点灯装置は、直流の入力電圧を降圧した電圧をＬＥＤ負荷に印加して負荷電流をＬＥＤ負荷に供給する複数の点灯回路部と、指示された調光レベルに基づいて前記複数の点灯回路部の動作を制御し、負荷電流の振幅を増減させる制御回路部とを備え、前記制御回路部は、調光下限値から調光上限値の間に複数の調光範囲を設定し、前記複数の調光範囲にそれぞれ少なくとも１つの前記点灯回路部を対応付けし、指示された調光レベルが属する調光範囲に対応付けされている前記点灯回路部を制御して、前記ＬＥＤ負荷に前記負荷電流を供給することを特徴とする。
【０００８】
本発明の照明器具は、上述の点灯装置と、複数のＬＥＤ負荷とを備え、前記ＬＥＤ負荷のそれぞれは、１乃至複数の発光ダイオードからなり、前記点灯回路部と一対一に電気的に接続されていることを特徴とする。
【発明の効果】
【０００９】
本発明の点灯装置および照明器具は、低い調光レベルに調光可能であって、応答性を向上させて器具間の同期性を確保することができるという効果がある。
【図面の簡単な説明】
【００１０】
【図１】実施形態に係る照明器具を示す回路構成図である。
【図２】実施形態に係る点灯装置における調光指示値に対応する光源部の調光レベルを説明する説明図である。
【図３】実施形態に係る点灯装置を示し、図３Ａは調光指示値に対応する点灯回路部のそれぞれの調光レベルを説明する説明図、図３Ｂは図３Ａの要部を拡大した拡大図である。
【図４】実施形態に係る照明器具を示し、図４Ａは別置型の概略構成図、図４Ｂは一体型の概略構成図である。
【図５】実施形態に係る照明器具の要部を示す構成図である。
【図６】図４Ａに示される別置型の照明器具に係る回路構成図である。
【発明を実施するための形態】
【００１１】
以下、本発明に係る点灯装置および照明器具の実施形態について、図面を参照して詳細に説明する。以下に説明する実施形態では、天井１００（図４Ａ参照）に設置される照明器具１を例示する。ただし、天井１００以外の場所に設置される照明器具においても本発明の技術思想を適用することは可能である。
【００１２】
本実施形態の照明器具１は、図１に示すように、１乃至複数の発光ダイオード（ＬＥＤ）（Ｌｉｇｈｔ  Ｅｍｉｔｔｉｎｇ  Ｄｉｏｄｅ）６１１からなる第１ＬＥＤ負荷６１と、１乃至複数の発光ダイオード６２１からなる第２ＬＥＤ負荷６２とを有する光源部１０を備える。照明器具１は、第１ＬＥＤ負荷６１および第２ＬＥＤ負荷６２のそれぞれに第１負荷電流Ｉ１および第２負荷電流Ｉ２を供給する点灯装置２をさらに備える。
【００１３】
点灯装置２は、第１ＬＥＤ負荷６１に第１負荷電流Ｉ１を供給する第１点灯回路部３１と、第２ＬＥＤ負荷６２に第２負荷電流Ｉ２を供給する第２点灯回路部３２とを備える。点灯装置２は、指示される調光レベル（以後、調光指示値とする）に基づいて第１点灯回路部３１および第２点灯回路部３２の動作を制御し、第１負荷電流Ｉ１および第２負荷電流Ｉ２のそれぞれの振幅を増減させる制御回路部４をさらに備える。また、点灯装置２は、第１点灯回路部３１および第２点灯回路部３２に直流電力を供給する電源回路部５をさらに備える。
【００１４】
電源回路部５は、フィルタ回路５１と、整流回路５２と、ＰＦＣ回路（力率改善回路）５３と、平滑回路５４とを備える。
【００１５】
フィルタ回路５１は、例えば、コンデンサ、インダクタ、および抵抗などで構成され、外部の入力電源（商用電源７０）から供給される交流電力のノイズ成分を除去する。整流回路５２は、ダイオードブリッジであって、フィルタ回路５１から出力された電力を全波整流する。力率改善回路５３は、インダクタなどによって、整流回路５２から出力された電流に存在する高周波成分を平均化する。平滑回路５４は、例えばコンデンサであって、力率改善回路５３から出力された電圧を平滑する。
【００１６】
第１点灯回路部３１は、第１スイッチング素子Ｑ１、第１ダイオードＤ１、第１インダクタＬ１、第１検出抵抗Ｒ１、第１コンデンサＣ１などによって構成される降圧チョッパ回路である。第１スイッチング素子Ｑ１は、ｎチャネル型のパワーＭＯＳＦＥＴ（Metal-Oxide-Semiconductor Field-Effect Transistor）である。第１スイッチング素子Ｑ１のドレインは、第１ダイオードＤ１のアノードに電気的に接続され、第１スイッチング素子Ｑ１のソースは、第１検出抵抗Ｒ１を介して電源回路部５の負極に電気的に接続されている。第１インダクタＬ１の一端は、第１ダイオードＤ１のアノードと第１スイッチング素子Ｑ１のドレインとの接続点に電気的に接続されている。また、第１インダクタＬ１の他端は、第１コンデンサＣ１の一端と電気的に接続されている。第１コンデンサＣ１の他端は、第１ダイオードＤ１のカソードに電気的に接続されている。第１ＬＥＤ負荷６１は、第１コンデンサＣ１に電気的に並列接続されている。なお、第１スイッチング素子Ｑ１のゲートは、制御回路部４に電気的に接続されている。第１点灯回路部３１は、電源回路部５から出力される直流電力を入力電力とし、第１スイッチング素子Ｑ１がオンオフ駆動することで第１ＬＥＤ負荷６１に第１負荷電流Ｉ１を供給して第１ＬＥＤ負荷６１を点灯させる。
【００１７】
第２点灯回路部３２は、第２スイッチング素子Ｑ２、第２ダイオードＤ２、第２インダクタＬ２、第２検出抵抗Ｒ２、第２コンデンサＣ２などによって構成される降圧チョッパ回路である。第２スイッチング素子Ｑ２は、ｎチャネル型のパワーＭＯＳＦＥＴであって、ドレインが第２ダイオードＤ２のアノードに電気的に接続され、第２スイッチング素子Ｑ２のソースが第２検出抵抗Ｒ２を介して電源回路部５の負極に電気的に接続されている。第２インダクタＬ２の一端は、第２ダイオードＤ２のアノードと第２スイッチング素子Ｑ２のドレインとの接続点に電気的に接続されている。また、第２インダクタＬ２の他端は、第２コンデンサＣ２の一端と電気的に接続されている。第２コンデンサＣ２の他端は、第２ダイオードＤ２のカソードに電気的に接続されている。第２ＬＥＤ負荷６２は、第２コンデンサＣ２に電気的に並列接続されている。なお、第２スイッチング素子Ｑ２のゲートは、制御回路部４に電気的に接続されている。第２点灯回路部３２は、電源回路部５から出力される直流電力を入力電力とし、第２スイッチング素子Ｑ２がオンオフ駆動することで第２ＬＥＤ負荷６２に第２負荷電流Ｉ２を供給して第２ＬＥＤ負荷６２を点灯させる。
【００１８】
制御回路部４は、調光制御部４１と、第１駆動回路４２と、第２駆動回路４３とを備える。制御回路部４は、第１スイッチング素子Ｑ１および第２スイッチング素子Ｑ２のオン／オフを制御することで第１負荷電流Ｉ１および第２負荷電流Ｉ２を制御し、第１点灯回路部３１および第２点灯回路部３２を動作させる。制御回路部４は、第１負荷電流Ｉ１および第２負荷電流Ｉ２の振幅を増減させて、連続して第１ＬＥＤ負荷６１および第２ＬＥＤ負荷６２に供給するＤＣ調光をすることで第１点灯回路部３１および第２点灯回路部３２を制御する。したがって、第１コンデンサＣ１および第２コンデンサＣ２は、大容量の電解コンデンサである必要がなく、フィルムコンデンサなどの小容量のコンデンサであればよい。
【００１９】
調光制御部４１は、例えば記憶部を有するマイクロコンピュータであって、第１駆動回路４２および第２駆動回路４３と電気的に接続する。調光制御部４１は、調光指示値に基づいて、第１駆動回路４２および第２駆動回路４３に調光信号（ＰＷＭ信号）（Ｐｕｌｓｅ  Ｗｉｄｔｈ  Ｍｏｄｕｌａｔｉｏｎ）を出力する。なお、調光指示値は、例えばリモートコントローラのような外部装置から入力される信号である。
【００２０】
また、調光制御部４１は、第１スイッチング素子Ｑ１のオン期間における第１検出抵抗Ｒ１の両端電圧である第１検出電圧Ｖａ（第１負荷電流Ｉ１の検出値）を監視する。さらに、調光制御部４１は、第２スイッチング素子Ｑ２のオン期間における第２検出抵抗Ｒ２の両端電圧である第２検出電圧Ｖｂ（第２負荷電流Ｉ２の検出値）を監視する。調光制御部４１は、第１検出電圧Ｖａと第２検出電圧Ｖｂのそれぞれと比較する第１上限値および第２上限値を設定する。さらに、調光制御部４１は、所望の第１駆動周期および第２駆動周期を設定し、オンデューティ（オン期間）を調整することで第１ＬＥＤ負荷６１および第２ＬＥＤ負荷６２のそれぞれの調光レベルを変更する。
【００２１】
第１駆動回路４２は、第１スイッチング素子Ｑ１のゲートと電気的に接続される。第１駆動回路４２は、調光制御部４１から出力されるＨｉレベルとＬｏレベルとを交互に繰り返すＰＷＭ信号が入力されると、第１スイッチング素子Ｑ１の駆動に必要な駆動信号を第１スイッチング素子Ｑ１のゲートに入力する。
【００２２】
第２駆動回路４３は、第２スイッチング素子Ｑ２のゲートと電気的に接続される。第２駆動回路４３は、調光制御部４１から出力されるＨｉレベルとＬｏレベルとを交互に繰り返すＰＷＭ信号が入力されると、第２スイッチング素子Ｑ２の駆動に必要な駆動信号を第２スイッチング素子Ｑ２のゲートに入力する。
【００２３】
ところで、調光制御部４１は、図２に示すように、光源部１０の調光レベル０．２５％に対応する調光指示値の調光下限値ＯＬから、調光レベル１００％に対応する調光指示値の調光上限値ＯＵまでの調光範囲に第１調光閾値ＯＴ１を設定する。なお、光源部１０の調光レベルは、第１ＬＥＤ負荷６１の調光レベルと第２ＬＥＤ負荷６２の調光レベルとの合計の調光レベルである。さらに、調光制御部４１は、調光指示値の調光上限値ＯＵより低く、第１調光閾値ＯＴ１以上の調光範囲に第２調光閾値ＯＴ２を設定する。調光上限値ＯＵ以下であって第１調光閾値ＯＴ１以上の調光範囲を第１調光範囲ＯＲ１とし、調光下限値ＯＬ以上であって第２調光閾値ＯＴ２以下の調光範囲を第２調光範囲ＯＲ２とする。
【００２４】
なお、第２調光範囲ＯＲ２は、第１調光範囲ＯＲ１よりも低い調光レベルに対応する。本実施形態の点灯装置２において、第１調光範囲ＯＲ１は、調光レベル５％から１００％の範囲とする。また、第２調光範囲ＯＲ２は、調光レベルが０．２５％から６％の範囲とする。
【００２５】
本実施形態の点灯装置２の動作について図１、および図２を参照して説明する。図２に示される実線は、調光指示値に対応する光源部１０の調光レベルである。
【００２６】
調光指示値が第１調光範囲ＯＲ１の範囲にある場合、制御回路部４は、第１点灯回路部３１を制御して、第１ＬＥＤ負荷６１に第１負荷電流Ｉ１を供給する。また、調光指示値が第２調光範囲ＯＲ２の範囲にある場合、制御回路部４は、第２点灯回路部３２を制御して、第２ＬＥＤ負荷６２に第２負荷電流Ｉ２を供給する。
【００２７】
なお、第２点灯回路部３２は、低い調光指示値に基づいて第２ＬＥＤ負荷６２に第２負荷電流Ｉ２を供給するように構成される。つまり、第２ＬＥＤ負荷６２に流れる第２負荷電流Ｉ２は、第１ＬＥＤ負荷６１に流れる第１負荷電流Ｉ１よりも小さい。そこで、第２検出抵抗Ｒ２の抵抗値を第１検出抵抗Ｒ１の抵抗値よりも大きくすることで、調光制御部４１は、第２検出電圧Ｖｂをより広いレンジで検知することができる。これにより、制御回路部４は、第２負荷電流Ｉ２を精度よく制御することが可能である。
【００２８】
まず、第１ＬＥＤ負荷６１が第１調光範囲ＯＲ１の調光範囲で点灯する場合について説明する。
【００２９】
第１駆動回路４２は、調光指示値に基づいて調光制御部４１からＨｉレベルの信号が入力されると、第１スイッチング素子Ｑ１のゲートにＨｉレベルの駆動信号を入力する。第１スイッチング素子Ｑ１がオン状態になると、第１ＬＥＤ負荷６１→第１インダクタＬ１→第１スイッチング素子Ｑ１→第１検出抵抗Ｒ１の経路で電流が流れ、第１負荷電流Ｉ１が増大する。
【００３０】
第１負荷電流Ｉ１が増大することにより、第１検出抵抗Ｒ１の両端電圧、すなわち第１検出電圧Ｖａも増大する。そして、第１検出電圧Ｖａが第１上限値に達すると、調光制御部４１は、ＬｏレベルのＰＷＭ信号を第１駆動回路４２に入力する。第１駆動回路４２は、調光制御部４１からＬｏレベル信号を受け取ると、第１スイッチング素子Ｑ１のゲートにＬｏレベルの駆動信号を入力する。そして、第１スイッチング素子Ｑ１は、オン状態からオフ状態に切り替わる。
【００３１】
第１スイッチング素子Ｑ１がオフ状態に切り替わると、第１インダクタＬ１の蓄積エネルギーにより、第１ダイオードＤ１→第１ＬＥＤ負荷６１→第１インダクタＬ１の閉路で回生電流が流れる。そして、第１負荷電流Ｉ１、すなわち、第１インダクタＬ１を流れる電流は徐々に低減する。第１スイッチング素子Ｑ１のオフ状態が調光制御部４１に設定されている第１駆動周期を経過すると、調光制御部４１が第１駆動回路４２にＨｉレベルのＰＷＭ信号を再入力するので第１スイッチング素子Ｑ１はオフ状態からオン状態に切り替わる。
【００３２】
これら一連の動作（第１スイッチング素子Ｑ１のオン／オフ）を繰り返すことで、第１スイッチング素子Ｑ１のオンオフ駆動が実行されて、第１点灯回路部３１が駆動し、調光指示値に基づいて、第１負荷ＬＥＤ６１が点灯する。
【００３３】
次に、第２ＬＥＤ負荷６２が第２調光範囲ＯＲ２の調光範囲で点灯する場合について説明する。
【００３４】
第２駆動回路４３は、調光指示値に基づいて調光制御部４１からＨｉレベルの信号が入力されると、第２スイッチング素子Ｑ２のゲートにＨｉレベルの駆動信号を入力する。第２スイッチング素子Ｑ２がオン状態になると、第２ＬＥＤ負荷６２→第２インダクタＬ２→第２スイッチング素子Ｑ２→第２検出抵抗Ｒ２の経路で電流が流れ、第２負荷電流Ｉ２が増大する。
【００３５】
第２負荷電流Ｉ２が増大することにより、第２検出抵抗Ｒ２の両端電圧、すなわち第２検出電圧Ｖｂも増大する。そして、第２検出電圧Ｖｂが第２上限値に達すると、調光制御部４１は、ＬｏレベルのＰＷＭ信号を第２駆動回路４３に入力する。第２駆動回路４３は、調光制御部４１からＬｏレベル信号を受け取ると、第２スイッチング素子Ｑ２のゲートにＬｏレベルの駆動信号を入力する。そして、第２スイッチング素子Ｑ２は、オン状態からオフ状態に切り替わる。
【００３６】
第２スイッチング素子Ｑ２がオフ状態に切り替わると、第２インダクタＬ２の蓄積エネルギーにより、第２ダイオードＤ２→第２ＬＥＤ負荷６２→第２インダクタＬ２の閉路で回生電流が流れる。そして、第２負荷電流Ｉ２、すなわち、第２インダクタＬ２を流れる電流は徐々に低減する。第２スイッチング素子Ｑ２のオフ状態が調光制御部４１に設定されている第２駆動周期を経過すると、調光制御部４１が第２駆動回路４３にＨｉレベルのＰＷＭ信号を再入力するので第２スイッチング素子Ｑ２はオフ状態からオン状態に切り替わる。
【００３７】
これら一連の動作（第２スイッチング素子Ｑ２のオン／オフ）を繰り返すことで、第２スイッチング素子Ｑ２のオンオフ駆動が実行されて、第２点灯回路部３２が駆動し、調光指示値に基づいて、第２負荷ＬＥＤ６２が点灯する。
【００３８】
本実施形態の点灯装置２は、第１点灯回路部３１および第２点灯回路部３２がＤＣ調光を行うので、出力端間に大容量のコンデンサを第１コンデンサＣ１および第２コンデンサＣ２として使用する必要がない。したがって、点灯装置２は、ＤＣ調光による低い調光が可能であるので、調光レベルに係わらず、応答性を向上させて器具間の同期性を確保することができる。さらに、点灯装置２では、第２検出抵抗Ｒ２の抵抗値を第１検出抵抗Ｒ１の抵抗値よりも大きくすることで、低い調光指示値であっても、精度のよい調光が可能である。
【００３９】
ところで、第１ＬＥＤ負荷６１および第２ＬＥＤ負荷６２の両方が同時に消灯することを回避するために、点灯装置２は、図３Ａおよび図３Ｂに示すように、第１調光閾値ＯＴ１と第２調光閾値ＯＴ２の間の調光範囲である重点灯区間ＯＲ１２を設けている。制御回路部４は、重点灯区間ＯＲ１２に、第１ＬＥＤ負荷６１および第２ＬＥＤ負荷６２の両方が点灯するように第１点灯回路部３１および第２点灯回路部３２を制御する。
【００４０】
ここで、調光指示値が重点灯区間ＯＲ１２に設定される場合について説明する。図３Ａおよび図３Ｂにおいて、実線で表される線は、調光指示値に対応する第１ＬＥＤ負荷６１の調光レベルであり、破線で表される線は、調光指示値に対応する第２ＬＥＤ負荷６２の調光レベルである。
【００４１】
まず、調光指示値が第２調光閾値ＯＴ２よりも高い値から第１調光閾値ＯＴ１よりも低い値に移動（変更）する場合について説明する。以下の説明では、調光レベルＸａ％、調光レベルＸｂ％、および調光レベルＸｃ％を規定して説明する（図３Ｂ参照）。なお、調光レベルＸｃ％は、調光レベル５％から６％までの間に設定される値である。調光レベルＸａ％および調光レベルＸｂ％は、調光レベル０．２５％から５％の間に設定される値である。さらに、調光レベルＸａ％は、調光レベルＸｂ％よりも低い値である。
【００４２】
ただし、以下に説明する調光レベルの値および重点灯区間ＯＲ１２における第１ＬＥＤ負荷６１の調光レベルおよび第２ＬＥＤ負荷６２の調光レベルの移動は一例であって本実施形態に限定されるものではない。
【００４３】
制御回路部４は、調光指示値が第２調光閾値ＯＴ２より高い場合、第１ＬＥＤ負荷６１に調光指示値に基づいた第１負荷電流Ｉ１が供給されるように第１点灯回路部３１を駆動する。また、制御回路部４は、第２ＬＥＤ負荷６２の調光レベルが０％になるように第２点灯回路部３２を制御する。
【００４４】
制御回路部４は、調光指示値が第２調光閾値ＯＴ２（調光レベル６％）に達したとき、第１ＬＥＤ負荷６１の調光レベルを６％からＸｃ％に低下させ、第１ＬＥＤ負荷６１が調光レベルＸｃ％で点灯するように第１点灯回路部３１を駆動する。このとき、制御回路部４は、第２ＬＥＤ負荷６２の調光レベルを０％からＸａ％に上昇させ、第２ＬＥＤ負荷６２が調光レベルＸａ％で点灯するように第２点灯回路部３２を駆動する。
【００４５】
そして、調光指示値が低くなるにつれて、制御回路部４は、第１ＬＥＤ負荷６１の調光レベルを徐々に低くするように第１点灯回路部３１を駆動する。また、調光指示値が低くなるにつれて、制御回路部４は、第２ＬＥＤ負荷６２の調光レベルを徐々に高くするように第２点灯回路部３２を駆動する。
【００４６】
調光指示値が第１調光閾値ＯＴ１（調光レベル５％）に達したとき、制御回路部４は、第１ＬＥＤ負荷６１の調光レベルをＸｂ％から０％に低下させ、第１ＬＥＤ負荷６１の調光レベルが０％になるように第１点灯回路部３１を制御する。また、制御回路部４は、第２ＬＥＤ負荷６２の調光レベルをＸｂ％から５％に上昇させ、第２ＬＥＤ負荷６２が調光レベル５％で点灯するように第２点灯回路部３２を駆動する。
【００４７】
重点灯区間ＯＲ１２において、第１ＬＥＤ負荷６１の調光レベルと第２ＬＥＤ負荷６２の調光レベルとの合計が調光指示値に対応する調光レベルになるように、制御回路部４は、第１点灯回路部３１および第２点灯回路部３２を制御する。
【００４８】
調光指示値が第１調光閾値ＯＴ１より低い場合、制御回路部４は、第１ＬＥＤ負荷６１の調光レベルが０％になるように第１点灯回路部３１を制御し、第２ＬＥＤ負荷６２は調光指示値に基づいた第２負荷電流Ｉ２が供給されるように第２点灯回路部３２を駆動する。
【００４９】
次に、調光指示値が第１調光閾値ＯＴ１よりも低い値から第２調光閾値ＯＴ２よりも高い値に移動（変更）する場合について説明する。
【００５０】
制御回路部４は、調光指示値が第１調光閾値ＯＴ１より低い場合、第２ＬＥＤ負荷６２に調光指示値に基づいた第２負荷電流Ｉ２が供給されるように第２点灯回路部３２を駆動する。また、制御回路部４は、第１ＬＥＤ負荷６１の調光レベルが０％になるように第１点灯回路部３１を制御する。
【００５１】
制御回路部４は、調光指示値が第１調光閾値ＯＴ１（調光レベル５％）に達したとき、第２ＬＥＤ負荷６２の調光レベルを５％からＸｂ％に低下させ、第２ＬＥＤ負荷６２が調光レベルＸｂ％で点灯するように第２点灯回路部３２を駆動する。このとき、制御回路部４は、第１ＬＥＤ負荷６１の調光レベルを０％からＸｂ％に上昇させ、第１ＬＥＤ負荷６１が調光レベルＸｂ％で点灯するように第１点灯回路部３１を駆動する。
【００５２】
そして、調光指示値が高くなるにつれて、制御回路部４は、第２ＬＥＤ負荷６２の調光レベルを徐々に低くするように第２点灯回路部３２を駆動する。また、調光指示値が高くなるにつれて、制御回路部４は、第１ＬＥＤ負荷６１の調光レベルを徐々に高くするように第１点灯回路部３１を駆動する。
【００５３】
調光指示値が第２調光閾値ＯＴ２（調光レベル６％）に達したとき、制御回路部４は、第２ＬＥＤ負荷６２の調光レベルをＸａ％から０％に低下させ、第２ＬＥＤ負荷６２の調光レベルが０％になるように第２点灯回路部３２を制御する。また、制御回路部４は、第１ＬＥＤ負荷６１の調光レベルをＸｃ％から６％に上昇させ、第１ＬＥＤ負荷６１が調光レベル６％で点灯するように第１点灯回路部３１を駆動する。
【００５４】
重点灯区間ＯＲ１２において、第１ＬＥＤ負荷６１の調光レベルと第２ＬＥＤ負荷６２の調光レベルとの合計が調光指示値に対応する調光レベルになるように、制御回路部４は、第１点灯回路部３１および第２点灯回路部３２を制御する。
【００５５】
調光指示値が第２調光閾値ＯＴ２より高い場合、制御回路部４は、第２ＬＥＤ負荷６２の調光レベルが０％になるように第２点灯回路部３２を制御し、第１ＬＥＤ負荷６１は調光指示値に基づいた第１負荷電流Ｉ１が供給されるように第１点灯回路部３１を駆動する。
【００５６】
本実施形態の点灯装置２が上述のように構成されると、第１ＬＥＤ負荷６１および第２ＬＥＤ負荷６２の両方が同時に消灯してしまうことを回避できる。
【００５７】
なお、点灯装置２は、３個以上の点灯回路部を備えてもよい。
【００５８】
制御回路部４は、電流検知回路などを設けて、第１インダクタＬ１および第２インダクタＬ２に流れる電流値を監視してもよい。この場合、制御回路部４は、当該電流値が設定する所定の電流値以下になれば第１スイッチング素子Ｑ１および第２スイッチング素子Ｑ２をオフ状態からオン状態に切り替えるように第１点灯回路部３１および第２点灯回路部３２を制御してもよい。
【００５９】
本実施形態の点灯装置２は、直流の入力電圧を降圧した電圧をＬＥＤ負荷（例えば、第１ＬＥＤ負荷６１、第２ＬＥＤ負荷６２）に印加して負荷電流（例えば、第１負荷電流Ｉ１、第２負荷電流Ｉ２）をＬＥＤ負荷に供給する複数の点灯回路部（例えば、第１点灯回路部３１，第２点灯回路部３２）を備える。点灯装置２は、指示された調光レベル（調光指示値）に基づいて複数の点灯回路部の動作を制御し、負荷電流の振幅を増減させる制御回路部４をさらに備える。制御回路部４は、調光下限値ＯＬから調光上限値ＯＵの間に複数の調光範囲（例えば、第１調光範囲ＯＲ１、第２調光範囲ＯＲ２）を設定し、複数の調光範囲にそれぞれ少なくとも１つの点灯回路部を対応付けする。制御回路部４は、指示された調光レベルが属する調光範囲に対応付けされている点灯回路部を制御して、ＬＥＤ負荷に負荷電流を供給する。
【００６０】
本実施形態の点灯装置２は、調光レベルに応じて複数の点灯回路部を切り替えており、ＤＣ調光によって複数の点灯回路部を制御しているので、出力端間に大容量のコンデンサを必要としない。したがって、本実施形態の点灯装置２は、低い調光レベルで調光可能であって、かつ応答性を向上させて器具間の同期性を確保することができる。
【００６１】
本実施形態の点灯装置２において、複数の点灯回路部は、第１点灯回路部３１と、第２点灯回路部３２とで構成されることが好ましい。第１点灯回路部３１は、第１負荷電流Ｉ１を第１ＬＥＤ負荷６１に供給することが好ましい。第２点灯回路部３２は、第２負荷電流Ｉ２を第２ＬＥＤ負荷６２に供給することが好ましい。制御回路部４は、調光下限値ＯＬより高く、調光上限値ＯＵより低い第１調光閾値ＯＴ１と、調光上限値より低く、第１調光閾値ＯＴ１以上にある第２調光閾値ＯＴ２を設定することが好ましい。制御回路部４は、調光上限値ＯＵ以下であって第１調光閾値ＯＴ１以上の調光範囲を第１調光範囲ＯＲ１とし、調光下限値ＯＬ以上であって第２調光閾値ＯＴ２以下の調光範囲を第２調光範囲ＯＲ２とすることが好ましい。制御回路部４は、指示された調光レベルが第１調光範囲ＯＲ１であれば、第１点灯回路部３１を制御して、調光レベルに応じた第１負荷電流Ｉ１を第１ＬＥＤ負荷６１に供給することが好ましい。制御回路部４は、指示された調光レベルが、第２調光範囲ＯＲ２であれば、第２点灯回路部３２を制御して、調光レベルに応じた第２負荷電流Ｉ２を第２ＬＥＤ負荷６２に供給することが好ましい。
【００６２】
本実施形態の点灯装置２が上述のように構成されると、高い調光レベルに対応する第１点灯回路部３１および低い調光レベルに対応する第２点灯回路部３２は、ＤＣ調光によって制御されている。点灯装置２は、ＤＣ調光による低い調光が可能であるので、低い調光レベルで調光を制御するために、出力端間に大容量のコンデンサを必要としない。したがって、本実施形態の点灯装置２は、応答性を向上させて器具間の同期性を確保することができる。
【００６３】
本実施形態の点灯装置２において、第１点灯回路部３１は、制御回路部４によってオンオフ制御されて第１ＬＥＤ負荷６１に直列接続する第１スイッチング素子Ｑ１を有することが好ましい。第１点灯回路部３１は、第１スイッチング素子Ｑ１がオン状態のときに第１負荷電流Ｉ１が流れる第１検出抵抗Ｒ１をさらに有する降圧チョッパ回路で形成されることが好ましい。制御回路部４は、第１スイッチング素子Ｑ１をオンした後、第１検出抵抗Ｒ１の両端電圧が第１上限値に達すると、第１スイッチング素子Ｑ１をオフすることが好ましい。第２点灯回路部３２は、制御回路部４によってオンオフ制御されて第２ＬＥＤ負荷６２に直列接続される第２スイッチング素子Ｑ２を有することが好ましい。第２点灯回路部３２は、第２スイッチング素子Ｑ２がオン状態のときに第２負荷電流Ｉ２が流れる第２検出抵抗Ｒ２をさらに有する降圧チョッパ回路で形成されることが好ましい。制御回路部４は、第２スイッチング素子Ｑ２をオンした後、第２検出抵抗Ｒ２の両端電圧が第２上限値に達すると、第２スイッチング素子Ｑ２をオフすることが好ましい。第２検出抵抗Ｒ２の抵抗値は、第１検出抵抗Ｒ１の抵抗値よりも大きいことが好ましい。
【００６４】
本実施形態の点灯装置２が上述のように構成されると、第２検出抵抗Ｒ２の抵抗値を第１検出抵抗Ｒ１の抵抗値よりも大きくすることで、第２点灯回路部３２は、第２検出電圧Ｖｂをより広いレンジで検知することができる。したがって、点灯装置２は、低い調光指示値であっても、第２負荷電流Ｉ２を精度よく調整することができる。
【００６５】
本実施形態の点灯装置２において、第１調光閾値ＯＴ１は、第２調光閾値ＯＴ２よりも大きな値であることが好ましい。制御回路部４は、第１調光閾値ＯＴ１よりも高く、第２調光閾値ＯＴ２よりも低い範囲を重点灯区間ＯＲ１２として設定することが好ましい。制御回路部４は、指示された調光レベルが重点灯区間ＯＲ１２に属している場合、第１点灯回路部３１および第２点灯回路部３２の両方を制御することが好ましい。そして、制御回路部４は、第１負荷電流Ｉ１を第１ＬＥＤ負荷６１に供給し、かつ第２負荷電流Ｉ２を第２ＬＥＤ負荷６２に供給することが好ましい。
【００６６】
本実施形態の点灯装置２が上述のように構成されると、制御回路部４が第１点灯回路部３１から第２点灯回路部３２に切り替える場合において、第１ＬＥＤ負荷６１および第２ＬＥＤ負荷６２の両方が同時に消灯してしまうことを回避することができる。また、制御回路部４が第２点灯回路部３２から第１点灯回路部３１に切り替える場合も同様に、点灯装置２は、第１ＬＥＤ負荷６１および第２ＬＥＤ負荷６２の両方が同時に消灯してしまうことを回避することができる。
【００６７】
本実施形態の照明器具１について、図４Ａ、図４Ｂ、図５、および図６を参照して説明する。なお、以下の説明では、図４Ａにおいて、上下方向を規定する。
【００６８】
本実施形態の照明器具１は、複数の発光ダイオード６１１からなる第１ＬＥＤ負荷６１と、複数の発光ダイオード６２１からなる第２ＬＥＤ負荷６２とを有する光源部１０を備える（図１参照）。
【００６９】
照明器具１は、図４Ａに示すように、点灯装置２が光源部１０とは別の場所に配置された別置型に形成される。つまり、光源部１０を収納する器具本体１１は、天井１００に埋込配設されており、点灯装置２は、天井１００の裏面（上面）に器具本体１１と離れた場所に配設されている。
【００７０】
器具本体１１は、例えばアルミダイカストの金属によって、下端部が開口した有底円筒状に形成される。器具本体１１には、内側の上底部に光源部１０が配設される。なお、発光ダイオード６１１および発光ダイオード６２１は、器具本体１１の下端部から外部空間に光を照射するために、光の照射向きが下向きとなるように、回路基板６０に実装されている。
【００７１】
光源部１０には、図５に示すように、同一の回路基板６０上に発光ダイオード６１１および発光ダイオード６２１が実装される。回路基板６０には、複数の発光ダイオード６１１が一方向において直線状に並べられる複数の列と、複数の発光ダイオード６２１が一方向において直線状に並べられる複数の列とが、一方向と垂直に交わる方向において、列毎に交互に配置される。なお、発光ダイオード６１１および発光ダイオード６２１は、円状の領域６０１の中に納まるように配置されることが好ましい。
【００７２】
回路基板６０には、コネクタＣＮ１およびコネクタＣＮ２が設けられている。コネクタＣＮ１は、図６に示すように、第１ＬＥＤ負荷６１に電気的に接続されている。また、コネクタＣＮ２は第２ＬＥＤ負荷６２に電気的に接続されている。
【００７３】
コネクタＣＮ１およびコネクタＣＮ２には、リード線１４が電気的に接続される。点灯装置２は、図４Ａおよび図６に示すように、コネクタ１３を介したリード線１４によって器具本体１１に収納される光源部１０と電気的に接続される。
【００７４】
器具本体１１の下端部の開口には、図４Ａに示すように、発光ダイオード６１１および発光ダイオード６２１からの光を拡散するための透光板１２が設けられている。
【００７５】
また、照明器具１は、図４Ｂに示すように、点灯装置２と光源部１０とともに器具本体１１に内蔵する一体型の照明器具として構成されてもよい。一体型の照明器具１は、回路基板６０の発光ダイオード６１１および発光ダイオード６２１が実装される面と反対の面にアルミ板や銅板によって形成され、器具本体１１と接触する形で配置する放熱板１５を備える。放熱板１５および器具本体１１は、発光ダイオード６１１および発光ダイオード６２１が発生した熱を外部に放熱することができる。
【００７６】
本実施形態の照明器具１は、調光指示値に応じて駆動する複数の点灯回路部を有する上述の点灯装置２を備えているので、低い調光レベルで調光可能であって、かつ応答性を向上させて器具間の同期性を確保することができる。
【００７７】
なお、本実施形態の照明器具１において、第１ＬＥＤ負荷６１は１個の発光ダイオード６１１によって構成されてもよい。また、第２ＬＥＤ負荷６２は１個の発光ダイオード６２１によって構成されてもよい。発光ダイオード６１１および発光ダイオード６２１のそれぞれの数および回路基板６０上の配置場所は、本実施形態に限定されない。また、照明器具１の構造は、本実施形態に限定されない。
【００７８】
本実施形態の照明器具１は、点灯装置２と、複数のＬＥＤ負荷とを備える。複数のＬＥＤ負荷のそれぞれは、１乃至複数の発光ダイオードからなり、点灯回路部と一対一に電気的に接続される。
【００７９】
本実施形態の照明器具１が上述のように構成されるので、ＤＣ調光によって、調光指示値に応じて駆動する複数の点灯回路部を有するため、低い調光レベルで調光可能であって、かつ応答性を向上させて器具間の同期性を確保することができる。
【００８０】
本実施形態の照明器具１は、複数のＬＥＤ負荷は、同一の回路基板６０上に設けられることが好ましい。
【００８１】
本実施形態の照明器具１が上述のように構成されると、いずれのＬＥＤ負荷を使用しているかに係わらず、調光レベルに応じて照射面を均一に照射することができる。
【符号の説明】
【００８２】
１  照明器具
２  点灯装置
３１  第１点灯回路部
３２  第２点灯回路部
４  制御回路部
６０  回路基板
６１  第１ＬＥＤ負荷
６２  第２ＬＥＤ負荷
Ｉ１  第１負荷電流
Ｉ２  第２負荷電流
Ｑ１  第１スイッチング素子
Ｑ２  第２スイッチング素子
Ｒ１  第１検出抵抗
Ｒ２  第２検出抵抗
ＯＬ  調光下限値
ＯＲ１  第１調光範囲
ＯＲ１２  重点灯区間
ＯＲ２  第２調光範囲
ＯＴ１  第１調光閾値
ＯＴ２  第２調光閾値
ＯＵ  調光上限値
【図１】
2017033626.tif 000003
【図２】
2017033626.tif 000004
【図３】
2017033626.tif 000005
【図４】
2017033626.tif 000006
【図５】
2017033626.tif 000007
【図６】
2017033626.tif 000008